(57)【要約】【課題】装着されたレンズに関連する設定をスムーズに行えるようにする。【解決手段】カメラのＭＣＵは、装着されたレンズから当該レンズに関する情報を取得し、その情報に基づいて、当該レンズにおける複数の設定項目を認識し、それらの設定項目をレンズ設定画面に選択可能に一覧表示する（レンズ設定画面表示）。ユーザが一覧表示から設定項目を選択すると、その設定項目に関する設定が可能となる（レンズ設定処理）。【選択図】図４
2019113871.tif 000002
【特許請求の範囲】
【請求項１】
第１操作部を有するレンズが着脱可能な着脱部と、
前記第１操作部で操作可能な設定の情報を前記レンズから受信可能な通信部と、
前記着脱部にレンズが装着された後で、前記通信部で受信した情報に基づいて、前記第１操作部で操作可能な設定を表示する表示部と、
を備える撮像装置。
【請求項２】
請求項１に記載の撮像装置において、
前記表示部は、前記着脱部にレンズが装着された後で、前記第１操作部で操作可能な設定のみを表示する撮像装置。
【請求項３】
請求項１に記載の撮像装置において、
前記表示部は、前記着脱部にレンズが装着された後で、前記第１操作部で操作可能な設定と操作不能な設定とを表示する撮像装置。
【請求項４】
請求項１から３までのいずれか１項に記載の撮像装置において、
前記設定を操作可能な第２操作部を備え、
前記通信部は、前記第２操作部で操作された設定の情報を前記レンズに送信する撮像装置。
【請求項５】
請求項４に記載の撮像装置において、
前記第２操作部は、前記第１操作部で操作不能な設定を操作不能とする撮像装置。
【請求項６】
請求項４または５に記載の撮像装置において、
前記第２操作部は、前記第１操作部で操作可能な設定を、前記第１操作部および前記第２操作部のどちらか一方または両方で操作するか選択可能な撮像装置。
【請求項７】
請求項４から６までのいずれか一項に記載の撮像装置において、
前記表示部は、前記第１操作部および前記第２操作部のどちらか一方または両方で前記設定を操作するか選択する画面を表示する撮像装置。
【請求項８】
請求項１から７までのいずれか一項に記載の撮像装置において、
前記表示部は、前記第１操作部で操作可能または設定不能な設定として、レンズの絞り値、焦点距離、フォーカスモード、ブレ補正のうち少なくとも１つの設定を表示する撮像装置。
【発明の詳細な説明】
【技術分野】
【０００１】
本発明は、撮像装置に関する。
【背景技術】
【０００２】
一眼レフデジタルカメラのようなレンズ交換可能なカメラでは、装着されたレンズに関連する設定をカメラ側で行う必要があるが、交換レンズのタイプ（例えば、絞りリングを有しているか否か）により設定項目は異なるため、異なるタイプのレンズに交換した場合は、その都度設定を変更しなければならない。特許文献１には、レンズ交換可能なカメラにおいて、交換レンズの絞りリング搭載の有無をカメラで判別し、絞りリングの有無に応じて、カメラ本体の操作メニューを最適化するものが記載されている。
【先行技術文献】
【特許文献】
【０００３】
【特許文献１】特開２００９−２２２７３１号公報
【発明の概要】
【発明が解決しようとする課題】
【０００４】
交換レンズに関連する設定項目は多岐にわたるが、従来はその中から必要な設定項目をユーザがメニューから探し出して設定を行っており、その作業が煩わしい。
【課題を解決するための手段】
【０００５】
本発明は、撮像装置に適用され、第１操作部を有するレンズが着脱可能な着脱部と、前記第１操作部で操作可能な設定の情報を前記レンズから受信可能な通信部と、前記着脱部にレンズが装着された後で、前記通信部で受信した情報に基づいて、前記第１操作部で操作可能な設定を表示する表示部と、を備える。
【発明の効果】
【０００６】
本発明によれば、装着されたレンズ関連する設定をスムーズに行うことができる。
【図面の簡単な説明】
【０００７】
【図１】本発明の一実施形態における一眼レフデジタルカメラの基本構成を示す側面図。
【図２】カメラの背面図。
【図３】カメラの制御系を示すブロック図。
【図４】レンズ設定に関連する処理手順の一例を示すフローチャート。
【図５】装着レンズが非ＣＰＵレンズであるときのレンズ設定初期画面の一例を示す図で、レンズ設定を選択しようとしている状態を示す。
【図６】装着レンズが非ＣＰＵレンズであるときのレンズ設定画面の一例を示す図。
【図７】撮像範囲設定画面の一例を示す図。
【図８】ヴィネットコントロール設定画面の一例を示す図。
【図９】絞り値設定方法の選択画面の一例を示す図。
【図１０】レンズ情報手動設定画面の一例を示す図。
【図１１】装着レンズがＣＰＵレンズであるときのレンズ設定初期画面の一例を示す図。
【図１２】装着レンズがＣＰＵレンズであるときのレンズ設定初期画面の一例を示す図で、レンズ設定を選択しようとしている状態を示す。
【図１３】装着レンズが他のＣＰＵレンズであるときのレンズ設定画面の一例を示す図。
【図１４】レンズスイッチ設定確認画面の一例を示す図。
【図１５】レンズスイッチ設定画面の一例を示す図。
【図１６】レンズスイッチ設定画面のスイッチの切換えを説明する図。
【図１７】装着レンズが非ＣＰＵレンズであるときのレンズ設定初期画面の一例を示す図で、レンズ情報表示を選択しようとしている状態を示す。
【図１８】装着レンズが非ＣＰＵレンズであるときのレンズ情報表示画面の一例を示す図。
【図１９】装着レンズがＣＰＵレンズであるときのレンズ設定初期画面の一例を示す図で、レンズ情報表示を選択しようとしている状態を示す。
【図２０】装着レンズがＣＰＵレンズであるときのレンズ情報表示画面の一例を示す図。
【発明を実施するための形態】
【０００８】
図面を参照して、本発明をデジタル一眼レフカメラに適用した場合の一実施形態を説明する。
図１において、カメラの本体１には、マウントを介して撮影レンズ（交換レンズ）２が装着可能とされる。撮影レンズ２には、複数のレンズ群の他に、絞り３及び不図示のレンズＲＯＭが内蔵されている。
【０００９】
撮影レンズ２を透過してカメラ本体内に導かれた被写体光は、一部が可動ミラー４により反射され、他の一部が可動ミラー４を透過する。可動ミラー４で反射された光束は、フォーカシングスクリーン５、拡散型液晶６、ペンタプリズム７、接眼レンズ８、９、１０を介して、ユーザ（撮影者）により観察される。
【００１０】
拡散型液晶６は、ＡＦエリア表示とクロップ高速モードのための表示とを行うもので、不図示のＬＥＤにより両側から照明されるようになっている。クロップ高速モードとは、撮像素子２８の中央部分の画素のみを使用して高速連写を実現する機能で、このモードが設定されると、拡散型液晶６によってファインダ画面の周辺部（有効領域外）がマスクされる。
【００１１】
なお、拡散型液晶６としては、例えばポリマーネットワーク型液晶（ＰＮ液晶）と呼ばれるタイプのものが用いられる。ＰＮ液晶は、通常は拡散状態で電圧をかけると透過する性質を持ち、液晶に印加する電圧を制御することで透過率を変える。なお拡散、透過を制御できるタイプの表示デバイスであれば、他の素子でも可能である。
【００１２】
ペンタプリズム７の射出面後方上部には、被写体輝度を測定するための公知のプリズム１３と測光レンズ１４と測光センサ１５とが配置されている。１６はファインダ内液晶であり、ファインダ画面外下部に撮影に関する露出制御値、露出モード、露出補正値などのさまざまな情報を表示する。ファインダ内バックライト１７は、ファインダ内液晶１６を照明するためのものである。
【００１３】
可動ミラー４を透過した光束は、サブミラー２１で反射されて焦点検出モジュール２２に導かれ、焦点検出に寄与する。焦点検出モジュール２２の前方には、モータ及び連結ギヤ、カップリングで構成されるレンズ駆動装置２３が配置されている。レンズ駆動装置２３によりレンズ２の合焦光学系が駆動され、焦点調節が行われる。
【００１４】
可動ミラー４およびサブミラー２１がミラーアップして撮影光路から退避すると、被写体光は、シャッタ２４および光学ローパスフィルタ２５を介して撮像素子２６に導かれる。撮像素子２６は、例えばＣＣＤやＣＭＯＳセンサなどにより構成され、画素と呼ばれる光電変換素子（例えばフォトダイオード）をマトリクス状に配列して成る撮像面と、その前面に配置されるカラーフィルタ等を有して成る。撮像面に結像された被写体光束は、画素ごとに光電変換され、電気的な撮像信号として出力される。
【００１５】
撮像素子２６の後方に配置された撮像基板２７には、撮像素子２６の駆動に必要なタイミング回路、Ａ／Ｄ変換回路、ＡＳＩＣで構成される画像処理制御回路、撮像素子の温度を測定する温度センサなどが実装されている。２８は背面液晶モニタであり、図２の背面図に示すように、カメラ本体１の背面に配置されている。背面液晶モニタ２８には、操作部材としてのタッチパネルが配置されている。
【００１６】
図２において、カメラ本体１の上面前側には、撮影モードを設定するための撮影モードダイヤル３２が配置されている。撮影モードは、標準的なＰ（プログラムオート）、Ｓ（シャッタ秒時優先オート）、Ａ（絞り値優先オート）、Ｍ（マニュアル）の各モード以外に、シーンモードを含む。シーンモードには、ポートレート、スポーツ、風景、クローズアップなどのモードがあり、被写体に応じていずれかのシーンモードが設定されると、カメラはその被写体に適した露出値等を設定して撮影を行う。
【００１７】
カメラ本体１の背面には、液晶モニタ２８の右側にマルチセレクタ３３が、その上方にコマンドダイアル３４がそれぞれ配置される。マルチセレクタ３３は、焦点検出エリア（ＡＦエリア）の手動選択や、再生画像の切り換え等に使用される。コマンドダイアル３４は、シャッタ秒や絞り値等を変えるために用いられる。
【００１８】
図３は上記カメラの制御系のブロック図である。撮像素子２６の出力である撮像信号は、Ａ／Ｄ変換回路１０３でデジタル信号に変換される。撮像素子２６及びＡ／Ｄ変換回路１０３は、タイミング回路１０４から出力される駆動信号によって所定の動作タイミングで駆動される。
【００１９】
画像処理制御回路１０５は、光電変換された各色の撮像信号に対し、ホワイトバランス調整、シャープネス調整、ガンマ補正、階調調整等の画像補正や、補間処理を行って画像データを生成する。生成された画像データは、撮影条件等の付加情報と組み合わされ、コンピュータで取り扱うことが可能な画像ファイルとして画像用記録媒体１０７に記録される。画像ファイルのファイル形式としては、ＲＡＷ、ＪＰＥＧ、ＴＩＦＦなどがあり、ユーザはいずれかを選択できる。１０６は、各段階での画像データを一時的に記憶するためのＳＤＲＡＭ（バッファメモリ）である。
【００２０】
背面液晶モニタ制御回路１０９は、図１の背面液晶モニタ２８の表示を制御する回路である。ファインダ内表示制御回路１１０は、ファインダ内液晶とファインダ内バックライトを制御する。スーパーインポーズ表示制御回路１１１は、拡散型液晶６を駆動制御し、上述したオートフォーカスポイントの表示や、クロップ高速モードのための表示を行う。
【００２１】
測光回路１１２は、図１の測光センサ１５の出力（被写体輝度）をＡ／Ｄ変換してマイクロコンピュータユニット（以下、ＭＣＵ）１０１に入力する。ＭＣＵ１０１は、被写体輝度やその他の情報に基づいて露出演算を行い、シャッタ秒時や絞り値を求める。露出制御回路１１３は、露出演算結果に基づいてシャッタ制御部１１４および絞り制御部１１５を制御し、シャッタ２４および絞り３を駆動する。レンズ情報入力回路１１６は、装着された撮影レンズ２と通信を行い、レンズ２から開放絞り値、焦点距離、射出瞳などの種々の情報を取得し、ＣＰＵ１０１に入力する。
【００２２】
焦点検出回路１１７は、焦点検出モジュール２２からの焦点検出出力をＡ／Ｄ変換してＭＣＵ１０１に入力する。ＭＣＵ１０１は、焦点検出回路１１７およびレンズ情報入力回路１１６の出力に基づいてレンズ駆動回路１１８を制御し、上述したレンズ駆動装置２３を介してオートフォーカス制御を行う。モード設定回路１１９は、露出やオートフォ−カス、画像等に関するさまざまなモード設定を行う。
【００２３】
ＳＷ１はレリーズボタンの第１ストロークに連動する半押しスイッチであり、ＳＷ２はレリーズボタンの第２ストロークに連動する全押しスイッチである。操作部２０１は、その他の操作部材（撮影モードダイヤル３２、マルチセレクタ３３、コマンドダイアル３４、電源スイッチ、液晶モニタ２８に配置されたタッチパネル等）を含む。
【００２４】
ＭＣＵ１０１は、スイッチＳＷ１、ＳＷ２および操作部２０１の操作に応答して上述の各回路を制御し、種々のカメラ動作を行う。
【００２５】
次に、撮影レンズ（交換レンズ）２の設定について説明する。
カメラには、ユーザの入力に基づいて種々の設定を行うための設定モードがある。設定モードでは、階層構造を持つメニューからユーザが設定項目を探し、当該項目の設定内容を複数の選択肢から選ぶようになっている。設定項目の中には、撮影レンズ２に関するものが多々あるが、撮影レンズ２のタイプによって設定項目や設定すべき内容は異なり、レンズを交換したときに設定し直さなければならない項目も少なからずある。
【００２６】
従来、ユーザはレンズ交換のたびにメニュー画面を開き、階層を辿って必要な設定項目を探し出した上で設定を変更しているが、設定すべき複数の項目がメニューの一箇所に集中配置されているとは限らず、それらの項目を１個ずつ探し出して設定しなければならなかった。この作業は、ユーザ、特にレンズ交換を頻繁に行うユーザにとって大きな負担であり、設定に時間がかかってシャッタチャンスを逃すこともあった。
【００２７】
上記の問題を解決すべく、本実施形態では、ユーザが撮影レンズ２を交換したときに、新たに装着されたレンズ２に関する設定項目をＭＣＵ１０１が取得し、それらの設定項目をまとめて一覧表示するようにした。ユーザは、その一覧表示から必要な設定項目を選択し、設定内容を変更することができる。以下、詳細に説明する。
【００２８】
まず、本実施形態のカメラで使用可能な交換レンズ２のタイプを説明する。
＜ＣＰＵの有無による分類＞
（１）ＣＰＵレンズ：ＣＰＵを内蔵し、当該レンズに関する種々のレンズ情報を電気的にカメラに伝達可能なレンズ。
（２）非ＣＰＵレンズ：ＣＰＵを内蔵しない３５ｍｍフィルムカメラ用レンズで、レンズ情報をカメラに伝達することができない。デジタルカメラで使用する場合は、フルサイズ（ＦＸ）相当となる。
【００２９】
＜撮像範囲による分類＞
（３）ＤＸレンズ：ＡＰＳ−Ｃサイズと呼ばれる２３．４×１６．７ｍｍ相当の撮影範囲をカバーできるように作られたレンズで、ＡＰＳ−Ｃサイズの撮像素子を持つデジタルカメラに対応する。全てＣＰＵレンズである。
（４）ＦＸレンズ：フルサイズと呼ばれる３６×２４ｍｍ相当の撮影範囲をカバーできるように作られたレンズ。フルサイズの撮像素子を持つデジタルカメラや３５ｍｍフィルムカメラに対応するが、ＡＰＳ−Ｃサイズの撮像素子を持つカメラにも装着して使用することができる。
【００３０】
＜絞りリングの有無による分類＞
（５）Ｇレンズ：絞り設定用の絞りリングを持たないレンズで、絞り値の設定はカメラ側で行う必要がある。
（６）非Ｇレンズ：絞りリングを備えたレンズで、絞り設定をレンズ側でもカメラ側でも行うことができる。
【００３１】
＜スイッチの有無による分類＞
（７）ＳＷ有りレンズ：機能を切換えるための手動スイッチを有し、その切換状態をカメラに伝達可能なレンズ。例えば、光学式像振れ補正が可能なレンズでは、像振れ補正のモードをスイッチ操作にて切換可能なものがある。
（８）ＳＷ無しレンズ：上記のようなスイッチを持たないレンズ、またはスイッチの切換状態をカメラに伝達できないレンズ。
【００３２】
交換レンズ関連の設定項目には次のようなものがある。
（ａ）撮像範囲の設定：ＦＸレンズであれば、例えば図７に示す４つの選択肢から選べる。ＤＸレンズの場合は、撮像範囲がＤＸサイズ（２４×１６）に固定されるので、本項目は設定不可。
（ｂ）ヴィネットコントロール設定：周辺光量の低下を補正するための処理（ヴィネットコントロール）に関する設定を行うことができる。ただし、ＤＸレンズ装着時は不要の処理であるため、本項目は設定不可。
（ｃ）絞り値の設定方法：絞り値を手動設定する際に、カメラ側の操作部材（例えば、コマンドダイアル３４）を用いるか、レンズ側の絞りリングを用いるかを選択設定する。絞りリングを持たないＧレンズ装着時は、絞り値をカメラ側で設定するしかないので、本項目は設定不可。
（ｄ）レンズ情報手動設定：交換レンズの焦点距離や開放絞り値等のレンズ情報を手動設定する機能。ＣＰＵレンズ装着時は、これらのレンズ情報をカメラが交換レンズから取得して自動設定できるので、本項目は設定不可。
（ｅ）レンズＳＷ設定：レンズに設けられたスイッチの切換えをカメラ側で行うことができる。ＳＷ無しレンズ装着時は、本項目は設定不可。
【００３３】
次に、レンズ設定に関連するＭＣＵ１０１の動作を図４のフローチャートにより説明する。
ＭＣＵ１０１は、カメラ本体１に撮影レンズ（交換レンズ）２が装着されたことを検知すると、図４のプログラムを起動する。まずステップＳ１で上記（ａ）〜（ｅ）のレンズ設定項目をいったん無効に初期設定し、次いでステップＳ２で装着レンズ２との通信を試みる。装着レンズ２がＣＰＵレンズであれば、レンズ内ＣＰＵから当該レンズに関する種々の情報を通信によって取得する。これらの情報は、レンズ名、開放絞り値、焦点距離等の情報の他に、ＤＸレンズかＦＸレンズか、ＳＷ有りレンズか否かなどの情報をも含む。一方、装着レンズ２が非ＣＰＵレンズの場合は、何らの情報も取得できない（通信不能）。
【００３４】
ステップＳ３では、ステップＳ２での通信試行結果に基づいて、装着レンズ２がＣＰＵレンズか否かを判定する。非ＣＰＵレンズであれば、ステップＳ４で上記（ｄ）のレンズ情報手動設定を有効にしてステップＳ５に進む。ＣＰＵレンズであった場合は、レンズ情報を既に取得しているので、（ｄ）を有効とせずにステップＳ５に進む。
【００３５】
ステップＳ５では、ステップＳ２での通信試行結果に基づいて、装着レンズ２がＤＸレンズであるか否かを判定する。ＤＸレンズでなければ、すなわちＦＸレンズまたは非ＣＰＵレンズであれば、ステップＳ６で（ａ）の撮像範囲設定と（ｂ）のビネットコントロール設定を共に有効にしてステップＳ７に進む。ＤＸレンズであった場合は、上記（ａ）、（ｂ）のいずれも有効とせずにステップＳ７に進む。
【００３６】
ステップＳ７では、ステップＳ２での通信試行結果に基づいて、装着レンズがＧレンズか否かを判定する。非Ｇレンズであれば、ステップＳ８で（ｃ）の絞り値の設定方法を有効にしてステップＳ９に進む。Ｇレンズであった場合は、（ｃ）を有効とせずにステップＳ９に進む。なお、非ＣＰＵレンズは全て非Ｇレンズに分類されるので、（ｃ）は有効となる。
【００３７】
ステップＳ９では、ステップＳ２での通信試行結果に基づいて、装着レンズがＳＷ有りレンズか否かを判定する。ＳＷ有りレンズであれば、ステップＳ１０で（ｅ）のレンズＳＷ設定を有効にしてステップＳ１１に進む。ＳＷ無しレンズであった場合は、（ｅ）を有効とせずにテップＳ１１に進む。なお、非ＣＰＵレンズは全てＳＷ無しレンズに分類されるので、（ｅ）は有効とならない。
【００３８】
ステップＳ１１では、レンズ設定初期画面を液晶モニタ２８に表示する。レンズ設定初期画面では、例えば図５に示すように、レンズ設定およびレンズ情報表示を選択可能項目として表示するとともに、レンズ名を表示する。なお、図５の例では、装着レンズ２が非ＣＰＵレンズであるためレンズ名を取得できず、「非ＣＰＵレンズ」と表示する。
【００３９】
ここで、本実施形態では背面液晶モニタ２８にタッチパネルが配置されているので、上記レンズ設定またはレンズ情報表示の部分をタッチすることでいずれかを選択できる。これは、後述する他の画面においても同様で、選択は全て該当部分をタッチすることで行う。なお、タッチパネル以外の操作部材で選択するようにしてもよい。
【００４０】
ステップＳ１２では、レンズ設定初期画面でレンズ設定が選択されたか否かを判定し、肯定されるとステップＳ１３でレンズ設定画面に切換える。レンズ設定画面の具体例は後述するが、レンズ設定画面では、上記ステップＳ４、Ｓ６、Ｓ８、Ｓ１０で有効とされた設定項目が選択可能に一覧表示される。無効の設定項目は表示されない（選択できない）。
【００４１】
ステップＳ１４では、レンズ設定処理を行う。この処理は、レンズ設定画面においてユーザが選択した設定項目に応じた項目別設定画面（例えば、図７）を表示する処理と、その項目別設定画面においてユーザが選択した設定値を、以降の制御に用いるものとして記憶する処理とを含む（具体例は後述する）。なお、ユーザが何らの操作も行わない場合はステップＳ１５に進む。
【００４２】
ステップＳ１５では、所定の設定終了操作がなされたか否かを判定し、否定されるとステップＳ１２に戻り、肯定されると本処理を抜けてメインのルーチンにリターンする。リターン後は、撮影可能な状態となる。
【００４３】
一方、ステップＳ１２が否定されるとステップＳ１６に進み、レンズ設定初期画面でレンズ情報表示が選択されたか否かを判定する。ステップＳ１６が否定されるとステップＳ１５に進み、肯定されるとステップＳ１７でレンズ情報表示処理を行い、ステップＳ１５に進む。レンズ情報表示処理は、装着レンズに関連する情報（使用にあたっての注意点等）を画面に表示する処理である。
【００４４】
なお、上述した各画面では、上位の階層に表示を戻したり、最上位のメニュー画面を表示させたり、ヘルプ画面を表示させることが可能である。また、本プログラムの実行中にレンズ交換がなされたことが検出されると、処理はステップＳ１に戻る。
【００４５】
次に、上記ステップＳ１３（レンズ設定画面表示）、およびステップＳ１４（レンズ設定処理）の具体例を説明する。
図６のレンズ設定画面について、当該装着レンズ２は、上記（２）の非ＣＰＵレンズ、（４）のＦＸレンズ、（６）の非Ｇレンズ、（８）のＳＷ無しレンズにそれぞれ分類される。したがってレンズの設定項目として、（ａ）の撮像範囲、（ｂ）のヴィネットコントロール、（ｃ）の絞り値の設定方法、（ｄ）のレンズ情報手動設定の４項目が選択可能に表示される。
【００４６】
図６の画面においてユーザが撮像範囲を選択すると、ＭＣＵ１０１は図７の撮像範囲設定画面（項目別設定画面）に切換える。項目別設定画面では、現在選択されている設定内容が太枠で表示されるので、ユーザは現在の設定状況を即座に理解できる。
【００４７】
撮像範囲設定画面において、例えばユーザがＦＸ（３６×２４）を選択すると、ＭＣＵ１０１はＦＸ（３６×２４）を撮像範囲とする旨を記憶し、以降の撮像処理に反映させる。
【００４８】
同様に、図６のレンズ設定画面においてヴィネットコントロール設定を選択すると、図８のヴィネットコントロール設定画面（項目別設定画面）が表示される。この画面では、ヴィネットコントロールの強さを３段階から選べる他、ヴィネットコントロールなしも選べる。また、図６のレンズ設定画面において絞り値の設定方法を選択すると、図９の絞り値の設定方法設定画面（項目別設定画面）が表示される。この画面では、絞り値を設定する操作部材として、カメラ側のコマンドダイアルか、レンズ側の絞りリングかを選べる。
【００４９】
さらに、図６のレンズ設定画面においてレンズ情報手動設定を選択すると、図１０のレンズ情報手動設定入力画面（項目別設定画面）が表示される。ここで、非ＣＰＵレンズでは、レンズの開放絞り値や焦点距離をカメラが検出できないため、これらの情報をユーザが手動で入力してやらないと、マルチパターン測光やコマンドダイヤルでの絞り値設定、外付けフラッシュ使用時のオートパワーズーム、再生画面での焦点距離表示等の処理が行えない。そこで、レンズ情報手動設定入力画面でこれらの情報を入力できるようにする。
【００５０】
以上は非ＣＰＵレンズの例を示したが、図１１は装着レンズ２がＣＰＵレンズであったときのレンズ設定初期画面を示している。この場合は、装着レンズ２から取得した当該レンズのレンズ名が下部に表示される。レンズ名は、一般に形式、焦点距離範囲、開放絞り値などの情報を組み合わせて構成される。
【００５１】
図１１のレンズ設定初期画面でレンズ設定を選択すると、図１２のレンズ設定画面が表示される。当該装着レンズ２は、（１）のＣＰＵレンズ、（４）のＦＸレンズ、（６）の非Ｇレンズ、（８）のＳＷ無しレンズにそれぞれ分類されるため、設定項目として、（ａ）の撮像範囲、（ｂ）のヴィネットコントロールおよび（ｃ）の絞り値の設定方法の３項目が選択可能に表示される。ＣＰＵレンズであるため、（ｄ）のレンズ情報手動設定は選択肢として表示されない。
【００５２】
図１３は他のＣＰＵレンズが装着された場合のレンズ設定画面を示している。当該装着レンズ２の鏡筒周面には、後述する４種類の機能を切換えるためのスイッチ（スライドスイッチ）が設けられている。当該レンズ２は、（１）のＣＰＵレンズ、（４）のＦＸレンズ、（５）のＧレンズ、（７）のＳＷ有りレンズにそれぞれ分類されるため、設定項目として、（ａ）の撮像範囲、（ｂ）のヴィネットコントロール、および（ｅ）のレンズＳＷ設定の３項目が選択可能に表示される。ＣＰＵレンズであるため、（ｄ）のレンズ情報手動設定は選択肢として表示されず、同様にＧレンズであるため、（ｃ）の絞り値の設定方法も表示されない。
【００５３】
図１３のレンズ設定画面でレンズＳＷ設定を選択すると、図１４のレンズスイッチ設定確認画面が表示される。この画面では、カメラでレンズスイッチ設定を行う（「あり」）か行わない（「なし」）かを選択できる。図１４は「なし」が選択されている状況を示し、「あり」が選択さると、図１５に示すように、４つのスイッチの絵柄とその周辺に描かれた文字から成るスイッチ操作部５０が表示される。これらの絵柄および文字は、当該装着レンズ２の鏡筒周面のスイッチ配置部を模したものである。ユーザは、レンズ２に設けられた実際のスイッチを操作して機能の切換えを行うことができるが、それと同等の切換えを当該画面上のスイッチ操作部５０でも行うことができる。なお、「なし」の場合は、スイッチ操作部は表示されず、レンズ２に設けられた実際のスイッチを操作して機能の切換えを行うことになる。
【００５４】
図１５のスイッチ操作部５０の機能について説明する。
最上段の表示スイッチ５１は、レンズに設けられたフォーカス制限切換スイッチに対応し、Ａ／Ｍ（オート優先オートフォーカスモード）と、Ｍ／Ａ（マニュアル優先オートフォーカスモード）と、Ｍ（マニュアルフォーカスモード）とを切換えるためのものである。Ｍ／Ａでは、撮影レンズの不図示のフォーカスリングを回転させると瞬時にＭＦ（マニュアルフォーカス）撮影が出来る。Ａ／Ｍでは、フォーカスリングを回転させても瞬時にはＭＦ（マニュアルフォーカス）に切り換わらず、ＡＦ（オートフォーカス）を優先させたいときに使用する。Ｍでは、マニュアルフォーカスのみ（ＡＦ禁止）となる。画面上での切換結果は、表示スイッチ５１の状態に反映される。これは、後述する他の表示スイッチ５２〜５４についても同様である。
【００５５】
２段目の表示スイッチ５２は、レンズに設けられたフォーカス制限切換スイッチに対応し、ＦＵＬＬと無限遠〜６ｍとを切換えるためのものである。ＦＵＬＬでは、無限遠から最至近までの全領域がピント合わせの対象となり、無限遠〜６ｍでは、無限遠から６ｍまでがピント合わせの対象となる。比較的遠くの被写体にピントを合わせるときは、無限遠〜６ｍを選択することでピント合わせに要する時間を短縮できる。
【００５６】
３段目の表示スイッチ５３は、レンズに設けられた像振れ補正モード切換スイッチに対応し、光学式像振れ補正に対し、ＮＯＲＭＡＬとＡＣＴＩＶＥとを切換えるためのものである。ＮＯＲＭＡＬは、主に通常の像振れを補正するときや、流し撮りを行う際に使用する。ＡＣＴＩＶＥは、乗り物に乗っているときなど揺れの激しい条件での像振れおよび通常の像振れを補正する。
【００５７】
最下段の表示スイッチ５４は、レンズに設けられたフォーカス作動設定スイッチに対応し、ＡＦ−Ｌと、ＭＥＭＯＲＹ ＲＥＣＡＬＬと、ＡＦ−ＯＮとを切換えるためのものである。ＡＦ−Ｌはフォーカスロックである。ＭＥＭＯＲＹ ＲＥＣＡＬＬは、交換レンズ側面に配置された不図示のメモリーセットボタンで記憶されたフォーカス位置に戻す機能である。ＡＦ−ＯＮはＡＦ作動である。
【００５８】
図１６は、像振れ補正モードをＡＣＴＩＶＥ（図１５）からＮＯＲＭＡＬに切換えた状態を示している。
【００５９】
次に、ステップＳ１７のレンズ情報表示の具体例を示す。
図１７のレンズ設定初期画面でレンズ情報表示を選択すると、例えば図１８のレンズ情報表示画面に切換わる。この画面では、当該レンズが非ＣＰＵレンズであるため、必要なレンズ情報を手動で設定しないと特定の機能が使用できない旨を文字で警告表示している。また、図１９のレンズ設定初期画面でレンズ情報表示を選択すると、例えば図２０のようなレンズ情報表示画面に切換わる。この画面では、特定の焦点距離での撮影距離の制限、およびＡＦ補助光の使用制限（いずれも当該レンズ固有の制限）を警告表示している。
【００６０】
以上説明したように本実施形態では、装着されている撮影レンズ２に対して設定可能な複数の設定項目をレンズ設定画面に一覧表示し、その一覧表示からいずれかの設定項目をユーザが選択すると、当該設定項目に関する設定をユーザ操作に従って行うようにしたので、従来のようにレンズ交換のたびにメニュー画面を開き、階層を辿って必要な設定項目を数多くの設定項目の中から探し出すという手間の掛かる作業が不要となる。したがって、レンズ関連の設定が短時間で手間を掛けずに行え、レンズ交換を頻繁に行うユーザでもストレスを感ずることなく手早く設定作業を完了することができ、シャッタチャンスを逃すことも少なくなる。
【００６１】
特に本実施形態では、レンズ装着を感知して直ちにレンズ設定初期画面を表示し、その初期画面からレンズ設定画面を選択できるようにしたので、より迅速にレンズ関連の設定が行え、また設定のし忘れも回避できる。さらに、レンズ設定画面では、当該装着レンズで設定不能な設定項目は表示されないので、誤って設定不能な項目の設定を試みるといった無駄な操作を回避できる。また、レンズ設定初期画面からレンズ情報表示（例えば、図１８）をも選択できるので、例えばレンズ設定にあたって必要な情報等を迅速に得ることができる。
【００６２】
なお以上では、レンズ装着を感知してレンズ設定初期画面を表示し、その初期画面からレンズ設定画面を選択するようにしたが、レンズ装着を感知して直ちにレンズ設定画面を表示するようにしてもよい。また、レンズ装着時に何らかの操作を行うと、上記レンズ設定画面あるいはレンズ設定初期画面を表示するようにしてもよい。さらに、装着レンズで設定不能な設定項目は一覧表示から除外したが、設定不能な項目を一覧表示に含めてもよい（ただし、選択は不能）。この場合は、設定可能な項目はカラー表示、設定不能な項目はグレー表示とするなどして、設定不能であることを明示することが望ましい。
【００６３】
また、撮影レンズの分類や設定項目について幾つかの例を示したが、その他の分類方法や設定項目も考えられる。例えば、ＣＰＵレンズしか扱えないカメラでもよい。さらに、一眼レフデジタルカメラにて説明したが、例えばミラーを廃したレンズ交換式デジタルカメラなど、レンズ交換が可能なあらゆる撮像装置に本発明を適用できる。
【符号の説明】
【００６４】
１  カメラ本体
２  撮影レンズ（交換レンズ）
２６  撮像素子
２８  背面液晶モニタ（タッチパネル付き）
１０１  マイクロコンピュータユニット（ＭＣＵ）
【図１】
2019113871.tif 000003
【図２】
2019113871.tif 000004
【図３】
2019113871.tif 000005
【図４】
2019113871.tif 000006
【図５】
2019113871.tif 000007
【図６】
2019113871.tif 000008
【図７】
2019113871.tif 000009
【図８】
2019113871.tif 000010
【図９】
2019113871.tif 000011
【図１０】
2019113871.tif 000012
【図１１】
2019113871.tif 000013
【図１２】
2019113871.tif 000014
【図１３】
2019113871.tif 000015
【図１４】
2019113871.tif 000016
【図１５】
2019113871.tif 000017
【図１６】
2019113871.tif 000018
【図１７】
2019113871.tif 000019
【図１８】
2019113871.tif 000020
【図１９】
2019113871.tif 000021
【図２０】
2019113871.tif 000022